(57)【特許請求の範囲】
【請求項１】
プリント回路（１０）の一部を覆うように前記プリント回路（１０）上に配置されたシールド（１８）によって保護された前記プリント回路上に電子チップカード（１２）を取付け保持する装置であって、前記シールド（１８）上に、前記電子チップカード（１２）を取付け保持する装置が形成され、
前記電子チップカード（１２）上に配置された接点（１４）の表面と協働するように適合された、弾性接点（１６）を有する電子チップ読取装置（２８）が前記プリント回路（１０）上に配置され、
前記電子チップ読取装置（２８）の少なくとも電子回路が、前記シールド（１８）の下に配置されており、
前記電子チップカード（１２）を取付け保持する装置が、舌部（２４）と、前記シールド（１８）の上部の部分的凹部（２２）によって構成され、前記凹部（２２）は、前記弾性接点（１６）が通過するための開口部（２０）を有し、前記弾性接点（１６）の面と前記舌部（２４）との間の垂直距離は、その凹部（２２）内に前記電子チップカードを取付け保持するために、電子チップカード（１２）が通過できるものであることを特徴とする装置。
【請求項２】
前記凹部（２２）が、前記舌部（２４）の下に前記電子チップカード（１２）を前記プリント回路の面と平行な方向（３４）に挿入することができるように、前記シールド（１８）の端部へ伸びていることを特徴とする請求項１に記載の装置。
【請求項３】
前記舌部は、前記弾性接点（１６）が舌部（２４）の両側に位置するように配置されることを特徴とする請求項１または２に記載の装置。
【請求項４】
前記凹部（２２）が、前記電子チップカード（１２）の誤った取付けを防ぐために、前記電子チップカード（１２）の誤操作防止装置（３２）とかみ合う誤操作防止装置（３０）を有することを特徴とする請求項１から３のいずれか一項に記載の装置。
【請求項５】
前記電子チップカード（１２）を取付け保持する装置が形成された前記シールド（１８）は、金属片の型打ちによって作製されることを特徴とする請求項１から４のいずれか一項に記載の装置。
【請求項６】
前記電子チップカード（１２）を取付け保持する装置が形成された前記シールド（１８）は、金属めっきされたプラスチック部品で作製されることを特徴とする請求項１から４のいずれか一項に記載の装置。
【請求項７】
端末のプリント回路上に保持される電子チップカードを受納することができるチップカードの読取装置を備え、前記プリント回路はシールドによって保護されている、請求項１から６のいずれか一項に記載の装置を有することを特徴とする端末。
【発明の詳細な説明】
【０００１】
【発明の属する技術分野】
本発明は、携帯電話において使用される電子チップカード、とりわけそのような電話において、チップカードの読取装置の出力端子と接触させてチップカードを取付け保持するための装置に関するものである。
【０００２】
携帯電話は、一般に以下の３つの部分を有する。
【０００３】
−電子回路を含む中央部
−画面とキーを支持する前部
−給電バッテリを支持する後部
【従来の技術】
後部は取外し可能であり、それを取り除くと、中央部の裏面が露出し、その裏面は、さまざまな可動接点を有し、そのうちのいくつかはバッテリを接続する働きをし、他は、特に、中央部に配置された読取装置にチップカードを接続する働きをする。
【０００４】
チップカードもまた取外し可能なので、中央部は、その６つの接点が、チップカードの読取装置の可動接点にぶつかるようにチップカードを取付け保持する装置を有する。
【０００５】
従来の技術においては、チップカードのこの取付けおよび保持装置は、軸回転および縦方向移動メカニズムに頼ることによって複雑になるという大きな欠点を有する種々の方法で作製され、それらのメカニズムは、製造し、組立てるのにコストがかかり、使用時に脆弱である。
【０００６】
さらに、従来の技術の装置のいくつかは、ある程度の厚みをもち、その分、ケースの厚みも大きくなり、電子回路を支持するプリント回路の広い面積を使用するようなものである。
【０００７】
【発明が解決しようとする課題】
したがって、本発明の目的は、単純で、丈夫で、コストがあまりかからず、場所もあまりとらない、読取装置上にチップカードを取付け保持する装置を作製することにある。
【０００８】
【課題を解決するための手段】
この目的は、電子回路のシールドケージを使用し、チップカードの取付けおよびその保持が可能なようにそれを構成することによって達成される。
【０００９】
本発明は、シールドによって保護されたプリント回路上に電子チップカードを取付け保持するための装置であって、シールドが、電子チップカードを取付け保持する手段を有することを特徴とする装置に関するものである。
【００１０】
より厳密には、本発明は、電子チップカード上に配置された接点の表面と協働するように適合された、弾性接点を有する電子チップの読取装置上に電子チップカードを取付け保持する装置であって、読取装置の少なくとも電子回路は、カバーの形の無線周波数シールドの下に閉じ込められており、その装置が、舌部を除き、シールドカバーの上部の部分的凹部によって構成され、その凹部は、弾性接点が通過するための開口部を有し、弾性接点の平面と舌部との間の垂直距離が、その凹部内に取付け保持するために、電子チップカードが通過できるものであることを特徴とする装置に関するものである。
【００１１】
凹部は、舌部の下に電子チップカードを側方向に挿入することができるように、シールドカバーの周囲に通じている。舌部は、弾性接点が、舌部の両側に位置するように配置される。
【００１２】
凹部は、電子チップカードの誤った取付けを防ぐための少なくとも１つの誤操作防止装置を有する。
【００１３】
この装置は、金属片の型打ちおよび／または切断によって作製される。
【００１４】
本発明の他の特徴および利点は、添付の図面を参照して行う特定の実施形態に関する以下の説明を読めば明らかになるだろう。
【００１５】
【発明の実施の形態】
プリアンブルに記したように、携帯電話は、プリント回路１０上に配置された電子回路を含む中央部を有する。これらの電子回路は、以下の３つのカテゴリに分けることができる。
【００１６】
−バッテリの充電回路
−無線周波数信号の送受信回路
−デジタル信号処理回路
これらの電子回路は、特に電話回線を確立するように作動するためには、電話の購入時に挿入された電子回路内に含まれる情報を読取ることが必要である。この必要不可欠な電子回路は、カード１２によって担持された電子チップと呼ばれる集積回路の形をとる（図１）。この電子チップは、デジタル信号の処理回路の一部を成す読取装置２８の電気接点１６（図２）と協働する電気接点１４（通常は６つ）を有する。
【００１７】
本発明は、読取装置２８の接点１６に対してこの電子チップカード１２を取付け保持する装置に関するものである。
【００１８】
電子回路は、隣接する電子回路の動作を擾乱する無線周波数信号を放出することが知られている。したがって、電子回路は擾乱無線周波数信号の通過を阻止するファラデーケージをつくりだすシールドによって互いに保護されるように設計される。
【００１９】
このシールドは、電子回路を覆う１つまたは複数の金属カバーの形を有する。添付図では、デジタル処理電子回路を覆うシールド１８しか示していないが、そこにはチップカード読取装置２８が含まれ、その可動電気接点１６が示されている。このシールドカバー１８は、カバーの下方周囲をはんだ付けすることによってプリント回路１０に固定される。
【００２０】
本発明によれば、シールドカバー１８は、カードの読取装置の接点１６上に電子チップカード１２の取付けおよび保持装置をつくりだすのに適した形状を有する。
【００２１】
そのために、カバー１８の上部は、読取装置の接点１８の場所に、接点１８を通すための開口部２０と、３つの接点１６をもつ２つの列の間に位置する舌部２４を除き、カバーの上表面を下げるための部分的凹部２２を有する。
【００２２】
したがって、開口部２０の輪郭は、接点１６のゾーンを取り囲み、これらの接点は、窪められたカバーの表面の上方に露出する。
【００２３】
凹部２２の深さおよび可動接点１６の高さは、カード１２の縦方向の移動を可能にするため可動接点１６と突起部２４との間で十分な高さを有する通路２６が存在するようなものである。凹部２２の周囲は、特に、その形状がカード１２の隅３２と協働するような隅３０を設けることによって、カード１２の正確な取付けを行うのに適した形状を有する。
【００２４】
図４および５に示されているように、舌部２４は、シールドカバー１８の上部のわずか上方に位置する平面内に存在する。舌部２４に対して正しい位置にカード１２を保持するのは、弾性可動接点１６の圧力である。
【００２５】
凹部２２に対する開口部２０の位置は、カード自体に対するカードの接点１４の位置の結果であり、規格によって規定される。
【００２６】
凹部２２は、舌部２４の下の通路２６内にカード１２を挿入することができるようにシールドカバー１８の周囲に通じている。図６は、凹部２２内に取り付けるために舌部２４の下にカード１２を挿入することを示し、矢印３４は、カード１２の挿入方向を示している。
【００２７】
電子チップカードは柔軟性をもっているので、反対側、すなわちこの場合には、角切り側３０からも挿入することができ、反対側にはストッパ（図示せず）が設けられる。
【００２８】
本発明による装置は、種々の技術により、たとえば、金属プレートの型打ちまたは切断によって、あるいはプラスチック成形加工と得られたプラスチック部品の金属めっき作業によって作製される。
【００２９】
上述の説明は、本発明による装置の簡略さと、軸回転部品がないことによる頑丈さ、さらにその取付けやすさ、場所をとらないこと、さらにはコストがあまりかからないことを示している。
【００３０】
本発明は、携帯電話への適用において説明したが、シールドを備えるチップカードの読取装置を使用するあらゆる装置に適用される。
【図面の簡単な説明】
【図１】携帯電話用ＳＩＭ型チップカードの上面図である。
【図２】本発明による電子チップカードの取付けおよび保持装置を備えた電子回路の支持体の斜透視図である。
【図３】図２の支持体の上面図である。
【図４】図３のラインＩＶ−ＩＶに沿った拡大断面図である。
【図５】図３のラインＶ−Ｖに沿った拡大断面図である。
【図６】本発明による装置への挿入位置におけるチップカードを示す図３による上面図である。
【符号の説明】
１０  プリント回路
１２  電子チップカード
１４  接点
１６  弾性接点
１８  シールド
２０  開口部
２２  凹部
２４  舌部
２６  通路
２８  読取装置
３２  誤操作防止装置
【図１】
0004050911.tif 000002
【図２】
0004050911.tif 000003
【図３】
0004050911.tif 000004
【図４】
0004050911.tif 000005
【図５】
0004050911.tif 000006
【図６】
0004050911.tif 000007